(57)【要約】  本願の実施例は構成リソースの使用面で通信性能を向上させることのできる無線通信方法及び装置を提供し、該方法は、第１装置が第２装置から送信された、前記第１装置に第１リソースセットを構成するための第１情報を受信することと、前記第１リソースセットに基づき、前記第１装置が前記第２装置との間の第１チャネルを伝送するための第１リソースを決定することと、前記第１リソースセットに基づき、前記第１装置が前記第２装置との間の第２チャネルを伝送するための第２リソースを決定することと、を含む。
2021502009.tif 000002
【特許請求の範囲】
【請求項１】
無線通信方法であって、
第１装置が、第２装置から送信された、前記第１装置に第１リソースセットを構成するための第１情報を受信することと、
前記第１リソースセットに基づき、前記第１装置が、前記第２装置との間の第１チャネルを伝送するための第１リソースを決定することと、
前記第１リソースセットに基づき、前記第１装置が、前記第２装置との間の第２チャネルを伝送するための第２リソースを決定することと、を含むことを特徴とする、前記無線通信方法。
【請求項２】
前記第１チャネル及び前記第２チャネルは、
所在する帯域幅部分、所在するキャリア、所在するセル、用いる二重方向、用いる基本パラメータセットのうちの少なくとも１つにおいて異なることを特徴とする
請求項１に記載の方法。
【請求項３】
前記第１チャネル及び前記第２チャネルの用いる基本パラメータセットが異なることは、サブキャリア間隔及び／又はサイクリックプレフィックスが異なることを含むことを特徴とする
請求項２に記載の方法。
【請求項４】
前記第１チャネル及び前記第２チャネルが同じタイプのチャネルであることを特徴とする
請求項１〜３のいずれか１項に記載の方法。
【請求項５】
前記第１リソースセットに基づき、前記第１装置が前記第２装置との間の第２チャネルを伝送するための第２リソースを決定することは、
前記第１装置が、前記第１リソースセットに基づいて第２リソースセットを決定することと、
前記第１装置が、前記第２リソースセットから前記第２装置との間の第２チャネルを伝送するための第２リソースを決定することと、を含むことを特徴とする
請求項１〜４のいずれか１項に記載の方法。
【請求項６】
前記方法は、更に、
前記第１装置が、前記第２装置から送信された第２情報を受信することを含み、
前記第１装置が前記第２リソースセットから前記第２装置との間の第２チャネルを伝送するための第２リソースを決定することは、
前記第２情報に基づき、前記第２リソースセットから前記第２リソースを決定することを含むことを特徴とする
請求項５に記載の方法。
【請求項７】
前記第１装置が前記第１リソースセットに基づいて第２リソースセットを決定することは、
前記第１リソースセットの１つのサブセットを前記第２リソースセットとして形成し、又は、
前記第１リソースセットにリソースを追加して、前記第２リソースセットとして形成し、又は、
前記第１リソースセットにおけるリソース量又はリソース粒度を時間領域及び／又は周波数領域において拡張又は収縮して、前記第２リソースセットを形成し、又は、
前記第１リソースセットを時間領域又は周波数領域においてオフセットして、前記第２リソースセットを形成するという方式で、前記第１リソースセットに基づき、前記第２リソースセットを決定することを含むことを特徴とする
請求項５又は６に記載の方法。
【請求項８】
前記第１リソースセットに基づいて第２リソースセットを決定する方式は、前記第１リソースセットの１つのサブセットを前記第２リソースセットとして決定することであり、
前記方法は、更に、
前記第１装置が、前記サブセットを示すための前記第２装置からの第３情報を受信することを含むことを特徴とする
請求項７に記載の方法。
【請求項９】
前記第１リソースセットに基づいて前記第２リソースセットを決定する方式は、前記第１リソースセットにリソースを追加して、前記第２リソースセットとして形成することであり、
前記方法は、更に、前記第１装置が、追加するリソースを示すための前記第２装置からの第４情報を受信することを含むことを特徴とする
請求項７に記載の方法。
【請求項１０】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１装置が、前記拡張又は収縮の幅を示すための前記第２装置からの第５情報を受信することを含むことを特徴とする
請求項７に記載の方法。
【請求項１１】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含むことを特徴とする
請求項７に記載の方法。
【請求項１２】
前記第１リソースセットに基づいて前記第２リソースセットを決定する方式は、前記第１リソースセットを時間領域又は周波数領域においてオフセットして、前記第２リソースセットを形成することであり、
前記方法は、更に、
前記第１装置が、前記オフセットの大きさを示すための前記第２装置からの第６情報を受信することを含むことを特徴とする
請求項７に記載の方法。
【請求項１３】
前記第１リソースセットに基づいて前記第２リソースセットを決定する方式は前記第１装置に予め設定されていることを特徴とする
請求項７に記載の方法。
【請求項１４】
前記第１リソースセットに基づき、前記第１装置が前記第２装置との間の第１チャネルを伝送するための第１リソースを決定することは、
前記第１装置が、前記第１リソースセットから前記第１チャネルを伝送するための前記第１リソースを決定することを含むことを特徴とする
請求項１〜１３のいずれか１項に記載の方法。
【請求項１５】
前記方法は、更に、
前記第１装置が、前記第２装置から送信された第７情報を受信することを含み、
前記第１装置が前記第１リソースセットから前記第１チャネルを伝送するための前記第１リソースを決定することは、
前記第７情報に基づき、前記第１装置が、前記第１リソースセットから前記第１リソースを決定することを含むことを特徴とする
請求項１４に記載の方法。
【請求項１６】
前記第１リソースセットに基づき、前記第１装置が前記第２装置との間の第１チャネルを伝送するための第１リソースを決定することは、
前記第１装置が、前記第１リソースセットに基づいて第３リソースセットを決定することと、
前記第１装置が、前記第３リソースセットから前記第２装置との間の第１チャネルを伝送するための第１リソースを決定することと、を含むことを特徴とする
請求項１〜１３のいずれか１項に記載の方法。
【請求項１７】
前記方法は、更に、
前記第１装置が、前記第２装置から送信された第８情報を受信することを含み、
前記第１装置が前記第３リソースセットから前記第２装置との間の第１チャネルを伝送するための第１リソースを決定することは、
前記第８情報に基づき、前記第３リソースセットから前記第１リソースを決定することを含むことを特徴とする
請求項１６に記載の方法。
【請求項１８】
前記第１装置が前記第１リソースセットに基づいて第３リソースセットを決定することは、
前記第１リソースセットの１つのサブセットを前記第３リソースセットとして形成し、又は、
前記第１リソースセットにリソースを追加して、前記第３リソースセットとして形成し、又は、
前記第１リソースセットにおけるリソース量又はリソース粒度を時間領域及び／又は周波数領域において拡張又は収縮して、前記第３リソースセットを形成し、又は、
前記第１リソースセットを時間領域又は周波数領域においてオフセットして、前記第３リソースセットを形成するという方式で、前記第１リソースセットに基づき、前記第３リソースセットを決定することを含むことを特徴とする
請求項１６又は１７に記載の方法。
【請求項１９】
前記第１リソースセットに基づいて第３リソースセットを決定する方式は、前記第１リソースセットの１つのサブセットを前記第３リソースセットとして決定することであり、
前記方法は、更に、
前記第１装置が、前記サブセットを示すための前記第２装置からの第９情報を受信することを含むことを特徴とする
請求項１８に記載の方法。
【請求項２０】
前記第１リソースセットに基づいて前記第３リソースセットを決定する方式は、前記第１リソースセットにリソースを追加して、前記第３リソースセットとして形成することであり、
前記方法は、更に、前記第１装置が、追加するリソースを示すための前記第２装置からの第１０情報を受信することを含むことを特徴とする
請求項１８に記載の方法。
【請求項２１】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第１装置が、前記拡張又は収縮の幅を示すための前記第２装置からの第１１情報を受信することを含むことを特徴とする
請求項１８に記載の方法。
【請求項２２】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含むことを特徴とする
請求項１８に記載の方法。
【請求項２３】
前記第１リソースセットに基づいて前記第３リソースセットを決定する方式は、前記第１リソースセットを時間領域又は周波数領域においてオフセットして、前記第３リソースセットを形成することであり、
前記方法は、更に、
前記第１装置が、前記オフセットの大きさを示すための前記第２装置からの第１２情報を受信することを含むことを特徴とする
請求項１８に記載の方法。
【請求項２４】
前記第１リソースセットに基づいて前記第３リソースセットを決定する方式は前記第１装置に予め設定されていることを特徴とする
請求項１８に記載の方法。
【請求項２５】
前記第１装置が端末装置であり、前記第２装置が基地局装置であることを特徴とする
請求項１〜２４のいずれか１項に記載の方法。
【請求項２６】
無線通信方法であって、
第２装置が、前記第１装置に第１リソースセットを構成するための第１情報を第１装置に送信することと、
前記第１リソースセットに基づき、前記第２装置が、前記第１装置との間の第１チャネルを伝送するための第１リソースを決定することと、
前記第１リソースセットに基づき、前記第２装置が、前記第１装置との間の第２チャネルを伝送するための第２リソースを決定することと、を含むことを特徴とする、前記無線通信方法。
【請求項２７】
前記第１チャネル及び前記第２チャネルは、
所在する帯域幅部分、所在するキャリア、所在するセル、用いる二重方向、用いる基本パラメータセットのうちの少なくとも１つにおいて異なることを特徴とする
請求項２６に記載の方法。
【請求項２８】
前記第１チャネル及び前記第２チャネルの用いる基本パラメータセットが異なることは、サブキャリア間隔及び／又はサイクリックプレフィックスが異なることを含むことを特徴とする
請求項２７に記載の方法。
【請求項２９】
前記第１チャネル及び前記第２チャネルが同じタイプのチャネルであることを特徴とする
請求項２６〜２８のいずれか１項に記載の方法。
【請求項３０】
前記第１リソースセットに基づき、前記第２装置が前記第１装置との間の第２チャネルを伝送するための第２リソースを決定することは、
前記第２装置が、前記第１リソースセットに基づいて第２リソースセットを決定することと、
前記第２装置が、前記第２リソースセットから前記第１装置との間の第２チャネルを伝送するための第２リソースを決定することと、を含むことを特徴とする
請求項２６に記載の方法。
【請求項３１】
前記方法は、更に、
前記第１装置が前記第１リソースセットから前記第１リソースを決定するために、前記第２装置が、前記第１装置へ第２情報を送信することを含むことを特徴とする
請求項３０に記載の方法。
【請求項３２】
前記第２装置が前記第１リソースセットに基づいて第２リソースセットを決定することは、
前記第１リソースセットの１つのサブセットを前記第２リソースセットとして形成し、又は、
前記第１リソースセットにリソースを追加して、前記第２リソースセットとして形成し、又は、
前記第１リソースセットにおけるリソース量又はリソース粒度を時間領域及び／又は周波数領域において拡張又は収縮して、前記第２リソースセットを形成し、又は、
前記第１リソースセットを時間領域又は周波数領域においてオフセットして、前記第２リソースセットを形成するという方式で、前記第１リソースセットに基づき、前記第２リソースセットを決定することを含むことを特徴とする
請求項３０又は３１に記載の方法。
【請求項３３】
前記第１リソースセットに基づいて第２リソースセットを決定する方式は、前記第１リソースセットの１つのサブセットを前記第２リソースセットとして決定することであり、
前記方法は、更に、
前記第２装置が、前記サブセットを示すための第３情報を前記第１装置に送信することを含むことを特徴とする
請求項３２に記載の方法。
【請求項３４】
前記第１リソースセットに基づいて前記第２リソースセットを決定する方式は、前記第１リソースセットにリソースを追加して、前記第２リソースセットとして形成することであり、
前記方法は、更に、前記第２装置が、追加するリソースを示すための第４情報を前記第１装置に送信することを含むことを特徴とする
請求項３２に記載の方法。
【請求項３５】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第２装置が、前記拡張又は収縮の幅を示すための第５情報を前記第１装置に送信することを含むことを特徴とする
請求項３２に記載の方法。
【請求項３６】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含むことを特徴とする
請求項３２に記載の方法。
【請求項３７】
前記第１リソースセットに基づいて前記第２リソースセットを決定する方式は、前記第１リソースセットを時間領域又は周波数領域においてオフセットして、前記第２リソースセットを形成することであり、
前記方法は、更に、
前記第２装置が、前記オフセットの大きさを示すための第６情報を前記第１装置に送信することを含むことを特徴とする
請求項３２に記載の方法。
【請求項３８】
前記第１リソースセットに基づき、前記第２装置が前記第１装置との間の第１チャネルを伝送するための第１リソースを決定することは、
前記第２装置が、前記第１リソースセットから前記第１チャネルを伝送するための前記第１リソースを決定することを含むことを特徴とする
請求項２６〜３７のいずれか１項に記載の方法。
【請求項３９】
前記方法は、更に、
前記第１装置が前記第１リソースセットから前記第１リソースを決定するために、前記第２装置が、前記第１装置へ第７情報を送信することを含むことを特徴とする
請求項３８に記載の方法。
【請求項４０】
前記第１リソースセットに基づき、前記第２装置が前記第１装置との間の第１チャネルを伝送するための第１リソースを決定することは、
前記第２装置が、前記第１リソースセットに基づいて第３リソースセットを決定することと、
前記第２装置が、前記第３リソースセットから前記第１装置との間の第１チャネルを伝送するための第１リソースを決定することと、を含むことを特徴とする
請求項２６〜３７のいずれか１項に記載の方法。
【請求項４１】
前記方法は、更に、
前記第１装置が前記第３リソースセットから前記第１リソースを決定するために、前記第２装置が前記第１装置へ第８情報を送信することを含むことを特徴とする
請求項４０に記載の方法。
【請求項４２】
前記第２装置が前記第１リソースセットに基づいて第３リソースセットを決定することは、
前記第１リソースセットの１つのサブセットを前記第３リソースセットとして形成し、又は、
前記第１リソースセットにリソースを追加して、前記第３リソースセットとして形成し、又は、
前記第１リソースセットにおけるリソース量又はリソース粒度を時間領域及び／又は周波数領域において拡張又は収縮して、前記第３リソースセットを形成し、又は、
前記第１リソースセットを時間領域又は周波数領域においてオフセットして、前記第３リソースセットを形成するという方式で、前記第１リソースセットに基づき、前記第３リソースセットを決定することを含むことを特徴とする
請求項４０又は４１に記載の方法。
【請求項４３】
前記第１リソースセットに基づいて第３リソースセットを決定する方式は、前記第１リソースセットの１つのサブセットを前記第３リソースセットとして決定することであり、
前記方法は、更に、
前記第２装置が、前記サブセットを示すための第９情報を前記第１装置に送信することを含むことを特徴とする
請求項４２に記載の方法。
【請求項４４】
前記第１リソースセットに基づいて前記第３リソースセットを決定する方式は、前記第１リソースセットにリソースを追加して、前記第３リソースセットとして形成することであり、
前記方法は、更に、前記第２装置が、追加するリソースを示すための第１０情報を前記第１装置に送信することを含むことを特徴とする
請求項４２に記載の方法。
【請求項４５】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第２装置が、前記拡張又は収縮の幅を示すための第１１情報を前記第１装置に送信することを含むことを特徴とする
請求項４２に記載の方法。
【請求項４６】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含むことを特徴とする
請求項４２に記載の方法。
【請求項４７】
前記第１リソースセットに基づいて前記第３リソースセットを決定する方式は、前記第１リソースセットを時間領域又は周波数領域においてオフセットして、前記第３リソースセットを形成することであり、
前記方法は、更に、
前記第２装置が、前記オフセットの大きさを示すための第１２情報を前記第１装置に送信することを含むことを特徴とする
請求項４２に記載の方法。
【請求項４８】
無線通信装置であって、
前記装置は第１装置であって、通信ユニット及び処理ユニットを備え、
前記通信ユニットは第２装置から送信された、前記第１装置に第１リソースセットを構成するための第１情報を受信するように構成され、
前記処理ユニットは前記第１リソースセットに基づき、前記第２装置との間の第１チャネルを伝送するための第１リソースを決定し、前記第１リソースセットに基づき、前記第２装置との間の第２チャネルを伝送するための第２リソースを決定するように構成されることを特徴とする、前記無線通信装置。
【請求項４９】
前記第１チャネル及び前記第２チャネルは、
所在する帯域幅部分、所在するキャリア、所在するセル、用いる二重方向、用いる基本パラメータセットのうちの少なくとも１つにおいて異なることを特徴とする
請求項４８に記載の装置。
【請求項５０】
前記第１チャネル及び前記第２チャネルの用いる基本パラメータセットが異なることは、サブキャリア間隔及び／又はサイクリックプレフィックスが異なることを含むことを特徴とする
請求項４９に記載の装置。
【請求項５１】
前記第１チャネル及び前記第２チャネルが同じタイプのチャネルであることを特徴とする
請求項４８〜５０のいずれか１項に記載の装置。
【請求項５２】
前記処理ユニットは、更に、
前記第１リソースセットに基づいて第２リソースセットを決定し、
前記第２リソースセットから前記第２装置との間の第２チャネルを伝送するための第２リソースを決定するように構成されることを特徴とする
請求項４８〜５１のいずれか１項に記載の装置。
【請求項５３】
前記通信ユニットは、更に、前記第２装置から送信された第２情報を受信するように構成され、
前記処理ユニットは、更に、前記第２情報に基づき、前記第２リソースセットから前記第２リソースを決定するように構成されることを特徴とする
請求項５２に記載の装置。
【請求項５４】
前記処理ユニットは、更に、
前記第１リソースセットの１つのサブセットを前記第２リソースセットとして形成し、又は、
前記第１リソースセットにリソースを追加して、前記第２リソースセットとして形成し、又は、
前記第１リソースセットにおけるリソース量又はリソース粒度を時間領域及び／又は周波数領域において拡張又は収縮して、前記第２リソースセットを形成し、又は、
前記第１リソースセットを時間領域又は周波数領域においてオフセットして、前記第２リソースセットを形成するという方式で、前記第１リソースセットに基づき、前記第２リソースセットを決定するように構成されることを特徴とする
請求項５２又は５３に記載の装置。
【請求項５５】
前記第１リソースセットに基づいて第２リソースセットを決定する方式は、前記第１リソースセットの１つのサブセットを前記第２リソースセットとして決定することであり、
前記通信ユニットは、更に、前記サブセットを示すための前記第２装置からの第３情報を受信するように構成されることを特徴とする
請求項５４に記載の装置。
【請求項５６】
前記第１リソースセットに基づいて前記第２リソースセットを決定する方式は、前記第１リソースセットにリソースを追加して、前記第２リソースセットとして形成することであり、
前記通信ユニットは、更に、追加するリソースを示すための前記第２装置からの第４情報を受信するように構成されることを特徴とする
請求項５４に記載の装置。
【請求項５７】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記通信ユニットは、更に、前記拡張又は収縮の幅を示すための前記第２装置からの第５情報を受信するように構成されることを特徴とする
請求項５４に記載の装置。
【請求項５８】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記通信ユニットは、更に、前記第１チャネルの所在するキャリア又は帯域幅部分と第２チャネルの所在するキャリア又は帯域幅部分との周波数領域の大小関係に基づき、前記拡張又は収縮の幅を決定するように構成されることを特徴とする
請求項５４に記載の装置。
【請求項５９】
前記第１リソースセットに基づいて前記第２リソースセットを決定する方式は、前記第１リソースセットを時間領域又は周波数領域においてオフセットして、前記第２リソースセットを形成することであり、
前記通信ユニットは、更に、前記オフセットの大きさを示すための前記第２装置からの第６情報を受信するように構成されることを特徴とする
請求項５４に記載の装置。
【請求項６０】
前記第１リソースセットに基づいて前記第２リソースセットを決定する方式は前記第１装置に予め設定されていることを特徴とする
請求項５４に記載の装置。
【請求項６１】
前記処理ユニットは、更に、
前記第１リソースセットから前記第１チャネルを伝送するための前記第１リソースを決定するように構成されることを特徴とする
請求項４８〜６０のいずれか１項に記載の装置。
【請求項６２】
前記通信ユニットは、更に、前記第２装置から送信された第７情報を受信するように構成され、
前記処理ユニットは、更に、
前記第７情報に基づき、前記第１リソースセットから前記第１リソースを決定するように構成されることを特徴とする
請求項６１に記載の装置。
【請求項６３】
前記処理ユニットは、更に、
前記第１リソースセットに基づいて第３リソースセットを決定し、
前記第３リソースセットから前記第２装置との間の第１チャネルを伝送するための第１リソースを決定するように構成されることを特徴とする
請求項４８〜６０のいずれか１項に記載の装置。
【請求項６４】
前記通信ユニットは、更に、前記第２装置から送信された第８情報を受信するように構成され、
前記処理ユニットは、更に、前記第８情報に基づき、前記第３リソースセットから前記第１リソースを決定するように構成されることを特徴とする
請求項６３に記載の装置。
【請求項６５】
前記処理ユニットは、更に、
前記第１リソースセットの１つのサブセットを前記第３リソースセットとして形成し、又は、
前記第１リソースセットにリソースを追加して、前記第３リソースセットとして形成し、又は、
前記第１リソースセットにおけるリソース量又はリソース粒度を時間領域及び／又は周波数領域において拡張又は収縮して、前記第３リソースセットを形成し、又は、
前記第１リソースセットを時間領域又は周波数領域においてオフセットして、前記第３リソースセットを形成するという方式で、前記第１リソースセットに基づき、前記第３リソースセットを決定するように構成されることを特徴とする
請求項６３又は６４に記載の装置。
【請求項６６】
前記第１リソースセットに基づいて第３リソースセットを決定する方式は、前記第１リソースセットの１つのサブセットを前記第３リソースセットとして決定することであり、
前記通信ユニットは、更に、前記サブセットを示すための前記第２装置からの第９情報を受信するように構成されることを特徴とする
請求項６５に記載の装置。
【請求項６７】
前記第１リソースセットに基づいて前記第３リソースセットを決定する方式は、前記第１リソースセットにリソースを追加して、前記第３リソースセットとして形成することであり、
前記通信ユニットは、更に、追加するリソースを示すための前記第２装置からの第１０情報を受信するように構成されることを特徴とする
請求項６５に記載の装置。
【請求項６８】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記通信ユニットは、更に、前記拡張又は収縮の幅を示すための前記第２装置からの第１１情報を受信するように構成されることを特徴とする
請求項６５に記載の装置。
【請求項６９】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記処理ユニットは、更に、前記第１チャネルの所在するキャリア又は帯域幅部分と第２チャネルの所在するキャリア又は帯域幅部分との周波数領域の大小関係に基づき、前記拡張又は収縮の幅を決定するように構成されることを特徴とする
請求項６５に記載の装置。
【請求項７０】
前記第１リソースセットに基づいて前記第３リソースセットを決定する方式は、前記第１リソースセットを時間領域又は周波数領域においてオフセットして、前記第３リソースセットを形成することであり、
前記通信ユニットは、更に、前記オフセットの大きさを示すための前記第２装置からの第１２情報を受信するように構成されることを特徴とする
請求項６５に記載の装置。
【請求項７１】
前記第１リソースセットに基づいて前記第３リソースセットを決定する方式は前記第１装置に予め設定されていることを特徴とする
請求項６５に記載の装置。
【請求項７２】
前記第１装置が端末装置であり、前記第２装置が基地局装置であることを特徴とする
請求項４８〜７１のいずれか１項に記載の装置。
【請求項７３】
無線通信装置であって、
前記装置は第２装置であって、通信ユニット及び処理ユニットを備え、
前記通信ユニットは前記第１装置に第１リソースセットを構成するための第１情報を第１装置に送信するように構成され、
前記処理ユニットは前記第１リソースセットに基づき、前記第１装置との間の第１チャネルを伝送するための第１リソースを決定し、前記第１リソースセットに基づき、前記第１装置との間の第２チャネルを伝送するための第２リソースを決定するように構成されることを特徴とする、前記無線通信装置。
【請求項７４】
前記第１チャネル及び前記第２チャネルは、
所在する帯域幅部分、所在するキャリア、所在するセル、用いる二重方向、用いる基本パラメータセットのうちの少なくとも１つにおいて異なることを特徴とする
請求項７３に記載の装置。
【請求項７５】
前記第１チャネル及び前記第２チャネルの用いる基本パラメータセットが異なることは、サブキャリア間隔及び／又はサイクリックプレフィックスが異なることを含むことを特徴とする
請求項７４に記載の装置。
【請求項７６】
前記第１チャネル及び前記第２チャネルが同じタイプのチャネルであることを特徴とする
請求項７３〜７５のいずれか１項に記載の装置。
【請求項７７】
前記処理ユニットは、更に、
前記第１リソースセットに基づいて第２リソースセットを決定し、
前記第２リソースセットから前記第１装置との間の第２チャネルを伝送するための第２リソースを決定するように構成されることを特徴とする
請求項７３に記載の装置。
【請求項７８】
前記通信ユニットは、更に、
前記第１装置が前記第１リソースセットから前記第１リソースを決定するために、前記第１装置へ第２情報を送信するように構成されることを特徴とする
請求項７７に記載の装置。
【請求項７９】
前記処理ユニットは、更に、
前記第１リソースセットの１つのサブセットを前記第２リソースセットとして形成し、又は、
前記第１リソースセットにリソースを追加して、前記第２リソースセットとして形成し、又は、
前記第１リソースセットにおけるリソース量又はリソース粒度を時間領域及び／又は周波数領域において拡張又は収縮して、前記第２リソースセットを形成し、又は、
前記第１リソースセットを時間領域又は周波数領域においてオフセットして、前記第２リソースセットを形成するという方式で、前記第１リソースセットに基づき、前記第２リソースセットを決定するように構成されることを特徴とする
請求項７７又は７８に記載の装置。
【請求項８０】
前記第１リソースセットに基づいて第２リソースセットを決定する方式は、前記第１リソースセットの１つのサブセットを前記第２リソースセットとして決定することであり、
前記通信ユニットは、更に、
前記サブセットを示すための第３情報を前記第１装置に送信するように構成されることを特徴とする
請求項７９に記載の装置。
【請求項８１】
前記第１リソースセットに基づいて前記第２リソースセットを決定する方式は、前記第１リソースセットにリソースを追加して、前記第２リソースセットとして形成することであり、
前記通信ユニットは、更に、追加するリソースを示すための第４情報を前記第１装置に送信するように構成されることを特徴とする
請求項７９に記載の装置。
【請求項８２】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記装置は、更に、
更に、前記拡張又は収縮の幅を示すための第５情報を前記第１装置に送信するように構成される前記通信ユニットを備えることを特徴とする
請求項７９に記載の装置。
【請求項８３】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記処理ユニットは、更に、
前記第１チャネルの所在するキャリア又は帯域幅部分と第２チャネルの所在するキャリア又は帯域幅部分との周波数領域の大小関係に基づき、前記拡張又は収縮の幅を決定するように構成されることを特徴とする
請求項７９に記載の装置。
【請求項８４】
前記第１リソースセットに基づいて前記第２リソースセットを決定する方式は、前記第１リソースセットを時間領域又は周波数領域においてオフセットして、前記第２リソースセットを形成することであり、
前記通信ユニットは、更に、
前記オフセットの大きさを示すための第６情報を前記第１装置に送信するように構成されることを特徴とする
請求項７９に記載の装置。
【請求項８５】
前記処理ユニットは、更に、
前記第１リソースセットから前記第１チャネルを伝送するための前記第１リソースを決定するように構成されることを特徴とする
請求項７３〜８４のいずれか１項に記載の装置。
【請求項８６】
前記通信ユニットは、更に、
前記第１装置が前記第１リソースセットから前記第１リソースを決定するために、前記第１装置へ第７情報を送信するように構成されることを特徴とする
請求項８５に記載の装置。
【請求項８７】
前記処理ユニットは、更に、
前記第１リソースセットに基づいて第３リソースセットを決定し、
前記第３リソースセットから前記第１装置との間の第１チャネルを伝送するための第１リソースを決定するように構成されることを特徴とする
請求項７３〜８４のいずれか１項に記載の装置。
【請求項８８】
前記通信ユニットは、更に、前記第１装置が前記第３リソースセットから前記第１リソースを決定するために、前記第１装置へ第８情報を送信するように構成されることを特徴とする
請求項８７に記載の装置。
【請求項８９】
前記処理ユニットは、更に、
前記第１リソースセットの１つのサブセットを前記第３リソースセットとして形成し、又は、
前記第１リソースセットにリソースを追加して、前記第３リソースセットとして形成し、又は、
前記第１リソースセットにおけるリソース量又はリソース粒度を時間領域及び／又は周波数領域において拡張又は収縮して、前記第３リソースセットを形成し、又は、
前記第１リソースセットを時間領域又は周波数領域においてオフセットして、前記第３リソースセットを形成するという方式で、前記第１リソースセットに基づき、前記第３リソースセットを決定するように構成されることを特徴とする
請求項８７又は８８に記載の装置。
【請求項９０】
前記第１リソースセットに基づいて第３リソースセットを決定する方式は、前記第１リソースセットの１つのサブセットを前記第３リソースセットとして決定することであり、
前記通信ユニットは、更に、前記サブセットを示すための第９情報を前記第１装置に送信するように構成されることを特徴とする
請求項８９に記載の装置。
【請求項９１】
前記第１リソースセットに基づいて前記第３リソースセットを決定する方式は、前記第１リソースセットにリソースを追加して、前記第３リソースセットとして形成することであり、
前記通信ユニットは、更に、追加するリソースを示すための第１０情報を前記第１装置に送信するように構成されることを特徴とする
請求項８９に記載の装置。
【請求項９２】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記通信ユニットは、更に、前記拡張又は収縮の幅を示すための第１１情報を前記第１装置に送信するように構成されることを特徴とする
請求項８９に記載の装置。
【請求項９３】
前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記処理ユニットは、更に、
前記第１チャネルの所在するキャリア又は帯域幅部分と第２チャネルの所在するキャリア又は帯域幅部分との周波数領域の大小関係に基づき、前記拡張又は収縮の幅を決定するように構成されることを特徴とする
請求項８９に記載の装置。
【請求項９４】
前記第１リソースセットに基づいて前記第３リソースセットを決定する方式は、前記第１リソースセットを時間領域又は周波数領域においてオフセットして、前記第３リソースセットを形成することであり、
前記通信ユニットは、更に、前記オフセットの大きさを示すための第１２情報を前記第１装置に送信するように構成されることを特徴とする
請求項８９に記載の装置。
【発明の詳細な説明】
【技術分野】
【０００１】
本願は通信分野に関し、且つより具体的に、無線通信方法及び装置に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、ネットワーク側は端末に共通の探索空間及びユーザー専用の探索空間を構成することができ、端末は共通の探索空間及びユーザー専用の探索空間からネットワーク側から送信された物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を探索することができ、又は、物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）、物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）等のチャネルに対して、ネットワーク装置は端末に対してリソースのスケジューリングを行うことができ、それにより端末装置との間のデータ伝送を実現する。
【０００３】
５Ｇシステムにおいて、通信性能への要求がより高く、且つリソースの構成及び使用がより柔軟になる。
【０００４】
従って、どのように構成リソースの使用面で通信性能を向上させるかは早急な解決の待たれる問題である。
【発明の概要】
【発明が解決しようとする課題】
【０００５】
本願の実施例は構成リソースの使用面で通信性能を向上させることのできる無線通信方法及び装置を提供する。
【課題を解決するための手段】
【０００６】
第１態様では、無線通信方法を提供し、
第１装置が第２装置から送信された、前記第１装置に第１リソースセットを構成するための第１情報を受信することと、
前記第１リソースセットに基づき、前記第１装置が前記第２装置との間の第１チャネルを伝送するための第１リソースを決定することと、
前記第１リソースセットに基づき、前記第１装置が前記第２装置との間の第２チャネルを伝送するための第２リソースを決定することと、を含む。
【０００７】
従って、本願の実施例において、第２装置が第１装置に第１リソースセットを構成し、第１装置は第１リソースセットに基づいて第１チャネルの伝送を行うことができるだけでなく、第２リソースセットに基づいて第２チャネルの伝送を行うこともでき、これにより、第１装置が第２装置にそれぞれ第１チャネルのリソースセット及び第２チャネルのリソースセットを構成するため、シグナリングオーバーヘッドが大きいという問題を回避し、リソース構成及び使用の柔軟性を実現することができ、且つ第１チャネル伝送と第２チャネル伝送との関連性を実現することができる。
【０００８】
第１態様を参照して、第１態様の可能な実現方式では、前記第１チャネル及び前記第２チャネルは、
所在する帯域幅部分、所在するキャリア、所在するセル、用いる二重方向、用いる基本パラメータセットのうちの少なくとも１つにおいて異なる。
【０００９】
第１態様又は上記いずれか１つの可能な実現方式を参照して、第１態様の別の可能な実現方式では、前記第１チャネル及び前記第２チャネルの用いる基本パラメータセットが異なることは、サブキャリア間隔及び／又はサイクリックプレフィックスが異なることを含む。
【００１０】
第１態様又は上記いずれか１つの可能な実現方式を参照して、第１態様の別の可能な実現方式では、前記第１チャネル及び前記第２チャネルが同じタイプのチャネルである。
【００１１】
第１態様又は上記いずれか１つの可能な実現方式を参照して、第１態様の別の可能な実現方式では、前記第１リソースセットに基づき、前記第１装置が前記第２装置との間の第２チャネルを伝送するための第２リソースを決定することは、
前記第１装置が前記第１リソースセットに基づいて第２リソースセットを決定することと、
前記第１装置が前記第２リソースセットから前記第２装置との間の第２チャネルを伝送するための第２リソースを決定することと、を含む。
【００１２】
第１態様又は上記いずれか１つの可能な実現方式を参照して、第１態様の別の可能な実現方式では、前記方法は、更に、
前記第１装置が前記第２装置から送信された第２情報を受信することを含み、
前記第１装置が前記第２リソースセットから前記第２装置との間の第２チャネルを伝送するための第２リソースを決定することは、
前記第２情報に基づき、前記第２リソースセットから前記第２リソースを決定することを含む。
【００１３】
第１態様又は上記いずれか１つの可能な実現方式を参照して、第１態様の別の可能な実現方式では、前記第１装置が前記第１リソースセットに基づいて第２リソースセットを決定することは、
前記第１リソースセットの１つのサブセットを前記第２リソースセットとして形成し、又は、
前記第１リソースセットにリソースを追加して、前記第２リソースセットとして形成し、又は、
前記第１リソースセットにおけるリソース量又はリソース粒度を時間領域及び／又は周波数領域において拡張又は収縮して、前記第２リソースセットを形成し、又は、
前記第１リソースセットを時間領域又は周波数領域においてオフセットして、前記第２リソースセットを形成するという方式で、前記第１リソースセットに基づき、前記第２リソースセットを決定することを含む。
【００１４】
第１態様又は上記いずれか１つの可能な実現方式を参照して、第１態様の別の可能な実現方式では、前記第１リソースセットに基づいて第２リソースセットを決定する方式は、前記第１リソースセットの１つのサブセットを前記第２リソースセットとして決定することであり、
前記方法は、更に、
前記第１装置が前記サブセットを示すための前記第２装置からの第３情報を受信することを含む。
【００１５】
第１態様又は上記いずれか１つの可能な実現方式を参照して、第１態様の別の可能な実現方式では、前記第１リソースセットに基づいて前記第２リソースセットを決定する方式は、前記第１リソースセットにリソースを追加して、前記第２リソースセットとして形成することであり、
前記方法は、更に、前記第１装置が追加するリソースを示すための前記第２装置からの第４情報を受信することを含む。
【００１６】
第１態様又は上記いずれか１つの可能な実現方式を参照して、第１態様の別の可能な実現方式では、前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１装置が前記拡張又は収縮の幅を示すための前記第２装置からの第５情報を受信することを含む。
【００１７】
第１態様又は上記いずれか１つの可能な実現方式を参照して、第１態様の別の可能な実現方式では、前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含む。
【００１８】
第１態様又は上記いずれか１つの可能な実現方式を参照して、第１態様の別の可能な実現方式では、前記第１リソースセットに基づいて前記第２リソースセットを決定する方式は、前記第１リソースセットを時間領域又は周波数領域においてオフセットして、前記第２リソースセットを形成することであり、
前記方法は、更に、
前記第１装置が前記オフセットの大きさを示すための前記第２装置からの第６情報を受信することを含む。
【００１９】
第１態様又は上記いずれか１つの可能な実現方式を参照して、第１態様の別の可能な実現方式では、前記第１リソースセットに基づいて前記第２リソースセットを決定する方式は前記第１装置に予め設定されている。
【００２０】
第１態様又は上記いずれか１つの可能な実現方式を参照して、第１態様の別の可能な実現方式では、前記第１リソースセットに基づき、前記第１装置が前記第２装置との間の第１チャネルを伝送するための第１リソースを決定することは、
前記第１装置が前記第１リソースセットから前記第１チャネルを伝送するための前記第１リソースを決定することを含む。
【００２１】
第１態様又は上記いずれか１つの可能な実現方式を参照して、第１態様の別の可能な実現方式では、前記方法は、更に、
前記第１装置が前記第２装置から送信された第７情報を受信することを含み、
前記第１装置が前記第１リソースセットから前記第１チャネルを伝送するための前記第１リソースを決定することは、
前記第７情報に基づき、前記第１装置が前記第１リソースセットから前記第１リソースを決定することを含む。
【００２２】
第１態様又は上記いずれか１つの可能な実現方式を参照して、第１態様の別の可能な実現方式では、前記第１リソースセットに基づき、前記第１装置が前記第２装置との間の第１チャネルを伝送するための第１リソースを決定することは、
前記第１装置が前記第１リソースセットに基づいて第３リソースセットを決定することと、
前記第１装置が前記第３リソースセットから前記第２装置との間の第１チャネルを伝送するための第１リソースを決定することと、を含む。
【００２３】
第１態様又は上記いずれか１つの可能な実現方式を参照して、第１態様の別の可能な実現方式では、前記方法は、更に、
前記第１装置が前記第２装置から送信された第８情報を受信することを含み、
前記第１装置が前記第３リソースセットから前記第２装置との間の第１チャネルを伝送するための第１リソースを決定することは、
前記第８情報に基づき、前記第３リソースセットから前記第１リソースを決定することを含む。
【００２４】
第１態様又は上記いずれか１つの可能な実現方式を参照して、第１態様の別の可能な実現方式では、前記第１装置が前記第１リソースセットに基づいて第３リソースセットを決定することは、
前記第１リソースセットの１つのサブセットを前記第３リソースセットとして形成し、又は、
前記第１リソースセットにリソースを追加して、前記第３リソースセットとして形成し、又は、
前記第１リソースセットにおけるリソース量又はリソース粒度を時間領域及び／又は周波数領域において拡張又は収縮して、前記第３リソースセットを形成し、又は、
前記第１リソースセットを時間領域又は周波数領域においてオフセットして、前記第３リソースセットを形成するという方式で、前記第１リソースセットに基づき、前記第３リソースセットを決定することを含む。
【００２５】
第１態様又は上記いずれか１つの可能な実現方式を参照して、第１態様の別の可能な実現方式では、前記第１リソースセットに基づいて第３リソースセットを決定する方式は、前記第１リソースセットの１つのサブセットを前記第３リソースセットとして決定することであり、
前記方法は、更に、
前記第１装置が前記サブセットを示すための前記第２装置からの第９情報を受信することを含む。
【００２６】
第１態様又は上記いずれか１つの可能な実現方式を参照して、第１態様の別の可能な実現方式では、前記第１リソースセットに基づいて前記第３リソースセットを決定する方式は、前記第１リソースセットにリソースを追加して、前記第３リソースセットとして形成することであり、
前記方法は、更に、前記第１装置が追加するリソースを示すための前記第２装置からの第１０情報を受信することを含む。
【００２７】
第１態様又は上記いずれか１つの可能な実現方式を参照して、第１態様の別の可能な実現方式では、前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第１装置が前記拡張又は収縮の幅を示すための前記第２装置からの第１１情報を受信することを含む。
【００２８】
第１態様又は上記いずれか１つの可能な実現方式を参照して、第１態様の別の可能な実現方式では、前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含む。
【００２９】
第１態様又は上記いずれか１つの可能な実現方式を参照して、第１態様の別の可能な実現方式では、前記第１リソースセットに基づいて前記第３リソースセットを決定する方式は、前記第１リソースセットを時間領域又は周波数領域においてオフセットして、前記第３リソースセットを形成することであり、
前記方法は、更に、
前記第１装置が前記オフセットの大きさを示すための前記第２装置からの第１２情報を受信することを含む。
【００３０】
第１態様又は上記いずれか１つの可能な実現方式を参照して、第１態様の別の可能な実現方式では、前記第１リソースセットに基づいて前記第３リソースセットを決定する方式は前記第１装置に予め設定されている。
【００３１】
第１態様又は上記いずれか１つの可能な実現方式を参照して、第１態様の別の可能な実現方式では、前記第１装置が端末装置であり、前記第２装置が基地局装置である。
【００３２】
第２態様では、無線通信方法を提供し、
第２装置が前記第１装置に第１リソースセットを構成するための第１情報を第１装置に送信することと、
前記第１リソースセットに基づき、前記第２装置が前記第１装置との間の第１チャネルを伝送するための第１リソースを決定することと、
前記第１リソースセットに基づき、前記第２装置が前記第１装置との間の第２チャネルを伝送するための第２リソースを決定することと、を含む。
【００３３】
従って、本願の実施例において、第２装置が第１装置に第１リソースセットを構成し、第１装置は第１リソースセットに基づいて第１チャネルの伝送を行うことができるだけでなく、第２リソースセットに基づいて第２チャネルの伝送を行うこともでき、これにより、第１装置が第２装置にそれぞれ第１チャネルのリソースセット及び第２チャネルのリソースセットを構成するため、シグナリングオーバーヘッドが大きいという問題を回避し、リソース構成及び使用の柔軟性を実現することができ、且つ第１チャネル伝送と第２チャネル伝送との関連性を実現することができる。
【００３４】
第２態様を参照して、第２態様の可能な実現方式では、前記第１チャネル及び前記第２チャネルは、
所在する帯域幅部分、所在するキャリア、所在するセル、用いる二重方向、用いる基本パラメータセットのうちの少なくとも１つにおいて異なる。
【００３５】
第２態様又は上記いずれか１つの可能な実現方式を参照して、第２態様の別の可能な実現方式では、前記第１チャネル及び前記第２チャネルの用いる基本パラメータセットが異なることは、サブキャリア間隔及び／又はサイクリックプレフィックスが異なることを含む。
【００３６】
第２態様又は上記いずれか１つの可能な実現方式を参照して、第２態様の別の可能な実現方式では、前記第１チャネル及び前記第２チャネルが同じタイプのチャネルである。
【００３７】
第２態様又は上記いずれか１つの可能な実現方式を参照して、第２態様の別の可能な実現方式では、前記第１リソースセットに基づき、前記第２装置が前記第１装置との間の第２チャネルを伝送するための第２リソースを決定することは、
前記第２装置が前記第１リソースセットに基づいて第２リソースセットを決定することと、
前記第２装置が前記第２リソースセットから前記第１装置との間の第２チャネルを伝送するための第２リソースを決定することと、を含む。
【００３８】
第２態様又は上記いずれか１つの可能な実現方式を参照して、第２態様の別の可能な実現方式では、前記方法は、更に、
前記第１装置が前記第１リソースセットから前記第１リソースを決定するために、前記第２装置が前記第１装置へ第２情報を送信することを含む。
【００３９】
第２態様又は上記いずれか１つの可能な実現方式を参照して、第２態様の別の可能な実現方式では、前記第２装置が前記第１リソースセットに基づいて第２リソースセットを決定することは、
前記第１リソースセットの１つのサブセットを前記第２リソースセットとして形成し、又は、
前記第１リソースセットにリソースを追加して、前記第２リソースセットとして形成し、又は、
前記第１リソースセットにおけるリソース量又はリソース粒度を時間領域及び／又は周波数領域において拡張又は収縮して、前記第２リソースセットを形成し、又は、
前記第１リソースセットを時間領域又は周波数領域においてオフセットして、前記第２リソースセットを形成するという方式で、前記第１リソースセットに基づき、前記第２リソースセットを決定することを含む。
【００４０】
第２態様又は上記いずれか１つの可能な実現方式を参照して、第２態様の別の可能な実現方式では、前記第１リソースセットに基づいて第２リソースセットを決定する方式は、前記第１リソースセットの１つのサブセットを前記第２リソースセットとして決定することであり、
前記方法は、更に、
前記第２装置が前記サブセットを示すための第３情報を前記第１装置に送信することを含む。
【００４１】
第２態様又は上記いずれか１つの可能な実現方式を参照して、第２態様の別の可能な実現方式では、前記第１リソースセットに基づいて前記第２リソースセットを決定する方式は、前記第１リソースセットにリソースを追加して、前記第２リソースセットとして形成することであり、
前記方法は、更に、前記第２装置が追加するリソースを示すための第４情報を前記第１装置に送信することを含む。
【００４２】
第２態様又は上記いずれか１つの可能な実現方式を参照して、第２態様の別の可能な実現方式では、前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第２装置が前記拡張又は収縮の幅を示すための第５情報を前記第１装置に送信することを含む。
【００４３】
第２態様又は上記いずれか１つの可能な実現方式を参照して、第２態様の別の可能な実現方式では、前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含む。
【００４４】
第２態様又は上記いずれか１つの可能な実現方式を参照して、第２態様の別の可能な実現方式では、前記第１リソースセットに基づいて前記第２リソースセットを決定する方式は、前記第１リソースセットを時間領域又は周波数領域においてオフセットして、前記第２リソースセットを形成することであり、
前記方法は、更に、
前記第２装置が前記オフセットの大きさを示すための第６情報を前記第１装置に送信することを含む。
【００４５】
第２態様又は上記いずれか１つの可能な実現方式を参照して、第２態様の別の可能な実現方式では、前記第１リソースセットに基づき、前記第２装置が前記第１装置との間の第１チャネルを伝送するための第１リソースを決定することは、
前記第２装置が前記第１リソースセットから前記第１チャネルを伝送するための前記第１リソースを決定することを含む。
【００４６】
第２態様又は上記いずれか１つの可能な実現方式を参照して、第２態様の別の可能な実現方式では、前記方法は、更に、
前記第１装置が前記第１リソースセットから前記第１リソースを決定するために、前記第２装置が前記第１装置へ第７情報を送信することを含む。
【００４７】
第２態様又は上記いずれか１つの可能な実現方式を参照して、第２態様の別の可能な実現方式では、前記第１リソースセットに基づき、前記第２装置が前記第１装置との間の第１チャネルを伝送するための第１リソースを決定することは、
前記第２装置が前記第１リソースセットに基づいて第３リソースセットを決定することと、
前記第２装置が前記第３リソースセットから前記第１装置との間の第１チャネルを伝送するための第１リソースを決定することと、を含む。
【００４８】
第２態様又は上記いずれか１つの可能な実現方式を参照して、第２態様の別の可能な実現方式では、前記方法は、更に、
前記第１装置が前記第３リソースセットから前記第１リソースを決定するために、前記第２装置が前記第１装置へ第８情報を送信することを含む。
【００４９】
第２態様又は上記いずれか１つの可能な実現方式を参照して、第２態様の別の可能な実現方式では、前記第２装置が前記第１リソースセットに基づいて第３リソースセットを決定することは、
前記第１リソースセットの１つのサブセットを前記第３リソースセットとして形成し、又は、
前記第１リソースセットにリソースを追加して、前記第３リソースセットとして形成し、又は、
前記第１リソースセットにおけるリソース量又はリソース粒度を時間領域及び／又は周波数領域において拡張又は収縮して、前記第３リソースセットを形成し、又は、
前記第１リソースセットを時間領域又は周波数領域においてオフセットして、前記第３リソースセットを形成するという方式で、前記第１リソースセットに基づき、前記第３リソースセットを決定することを含む。
【００５０】
第２態様又は上記いずれか１つの可能な実現方式を参照して、第２態様の別の可能な実現方式では、前記第１リソースセットに基づいて第３リソースセットを決定する方式は、前記第１リソースセットの１つのサブセットを前記第３リソースセットとして決定することであり、
前記方法は、更に、
前記第２装置が前記サブセットを示すための第９情報を前記第１装置に送信することを含む。
【００５１】
第２態様又は上記いずれか１つの可能な実現方式を参照して、第２態様の別の可能な実現方式では、前記第１リソースセットに基づいて前記第３リソースセットを決定する方式は、前記第１リソースセットにリソースを追加して、前記第３リソースセットとして形成することであり、
前記方法は、更に、前記第２装置が追加するリソースを示すための第１０情報を前記第１装置に送信することを含む。
【００５２】
第２態様又は上記いずれか１つの可能な実現方式を参照して、第２態様の別の可能な実現方式では、前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第２装置が前記拡張又は収縮の幅を示すための第１１情報を前記第１装置に送信することを含む。
【００５３】
第２態様又は上記いずれか１つの可能な実現方式を参照して、第２態様の別の可能な実現方式では、前記第１リソースセットに基づいて前記第３リソースセットを決定する方式は、前記第１リソースセットにおけるリソース量又はリソース粒度を時間領域及び／又は周波数領域において拡張又は収縮して、前記第３リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含む。
【００５４】
第２態様又は上記いずれか１つの可能な実現方式を参照して、第２態様の別の可能な実現方式では、前記第１リソースセットに基づいて前記第３リソースセットを決定する方式は、前記第１リソースセットを時間領域又は周波数領域においてオフセットして、前記第３リソースセットを形成することであり、
前記方法は、更に、
前記第２装置が前記オフセットの大きさを示すための第１２情報を前記第１装置に送信することを含む。
【００５５】
第３態様では、無線通信装置を提供し、前記無線通信装置は上記第１態様又は第１態様のいずれか１つの可能な実現方式における方法を実行するように構成される。具体的に、前記無線通信装置は上記第１態様又は第１態様のいずれか１つの可能な実現方式における方法を実行するための機能モジュールを備える。
【００５６】
第４態様では、無線通信装置を提供し、前記無線通信装置は上記第２態様又は第２態様のいずれか１つの可能な実現方式における方法を実行するように構成される。具体的に、前記無線通信装置は上記第２態様又は第２態様のいずれか１つの可能な実現方式における方法を実行するための機能モジュールを備える。
【００５７】
第５態様では、無線通信装置を提供し、前記無線通信装置はプロセッサ、メモリ及び送受信機を備える。前記プロセッサ、前記メモリ及び前記送受信機が内部接続経路によって互いに通信し、制御及び／又はデータ信号を伝達することにより、前記無線通信装置が上記第１態様又は第１態様のいずれか１つの可能な実現方式における方法を実行する。
【００５８】
第６態様では、無線通信装置を提供し、前記無線通信装置はプロセッサ、メモリ及び送受信機を備える。前記プロセッサ、前記メモリ及び前記送受信機が内部接続経路によって互いに通信し、制御及び／又はデータ信号を伝達することにより、前記無線通信装置が上記第２態様又は第２態様のいずれか１つの可能な実現方式における方法を実行する。
【００５９】
第７態様では、コンピュータ可読媒体を提供し、前記コンピュータ可読媒体はコンピュータプログラムを記憶するように構成され、前記コンピュータプログラムは上記いずれか１つの方法又はいずれか１つの可能な実現方式における方法を実行するための命令を含む。
【００６０】
第８態様では、命令を含むコンピュータプログラム製品を提供し、前記コンピュータプログラム製品がコンピュータにおいて実行されるとき、コンピュータが上記いずれか１つの方法又はいずれか１つの可能な実現方式における方法を実行する。
【図面の簡単な説明】
【００６１】
【図１】図１は本願の実施例に係る無線通信システムの模式図である。
【図２】図２は本願の実施例に係る無線通信方法の模式的なフローチャートである。
【図３】図３は本願の実施例に係る無線通信方法の模式的なフローチャートである。
【図４】図４は本願の実施例に係る無線通信装置の模式的なブロック図である。
【図５】図５は本願の実施例に係る無線通信装置の模式的なブロック図である。
【図６】図６は本願の実施例に係るシステムチップの模式的なブロック図である。
【図７】図７は本願の実施例に係る通信装置の模式的なブロック図である。
【発明を実施するための形態】
【００６２】
本願の実施例の技術案をより明確に説明するために、以下に実施例又は従来技術の記述において必要な図面を用いて簡単に説明を行うが、当然ながら、以下に記載する図面は単に本願の実施例の一例であって、当業者であれば、創造的な労力を要することなく、これらの図面に基づいて他の図面に想到しうる。
【００６３】
以下、本願の実施例の図面を参照しながら、本願の実施例の技術案を明確に説明し、無論、説明される実施例は本願の実施例の一部であり、実施例のすべてではない。本願の実施例に基づき、当業者が進歩性のある労働を必要とせずに得られる他の実施例は、いずれも本願の保護範囲に属する。
【００６４】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００６５】
図１には本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えば、ＵＥ）と通信することができる。好ましくは、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００６６】
該無線通信システム１００は更にネットワーク装置１１０のカバレッジ範囲内の少なくとも１つの端末装置１２０を備える。端末装置１２０は可動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００６７】
好ましくは、端末装置１２０同士が装置対装置（Ｄ２Ｄ：Ｄｅｖｉｃｅ  ｔｏ  Ｄｅｖｉｃｅ）通信を行うことができる。
【００６８】
好ましくは、５Ｇシステム又はネットワークが更に新無線（ＮＲ：Ｎｅｗ  Ｒａｄｉｏ）システム又はネットワークと称されてもよい。
【００６９】
図１には１つのネットワーク装置及び２つの端末装置を例示的に示し、好ましくは、該無線通信システム１００は複数のネットワーク装置を備えてもよく、且つ各ネットワーク装置のカバレッジ範囲内には他の数の端末装置が含まれてもよく、本願の実施例は制限しない。
【００７０】
好ましくは、該無線通信システム１００は更にネットワーク制御装置、モビリティ管理エンティティ等の他のネットワークエンティティを備えてもよく、本願の実施例は制限しない。
【００７１】
本明細書において、本明細書における用語「システム」と「ネットワーク」は常に交換可能に使用されると理解すべきである。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００７２】
図２は本願の実施例に係る無線通信方法２００の模式的なフローチャートである。該方法２００は以下の少なくとも一部を含む。
【００７３】
２１０、第１装置が第２装置から送信された、該第１装置に第１リソースセットを構成するための第１情報を受信する。
【００７４】
２２０、該第１リソースセットに基づき、該第１装置が該第２装置との間の第１チャネルを伝送するための第１リソースを決定する。
【００７５】
好ましくは、本願の実施例に言及した第２装置から第１装置まで送信した情報は無線リソース制御（ＲＲＣ：Ｒａｄｉｏ  Ｒｅｓｏｕｒｃｅ  Ｃｏｎｔｒｏｌ）シグナリング、制御情報、システム情報又はメディアアクセス制御・制御要素（ＭＡＣ  ＣＥ：Ｍｅｄｉａ  Ａｃｃｅｓｓ  Ｃｏｎｔｒｏｌ  Ｃｏｎｔｒｏｌ  Ｅｌｅｍｅｎｔ）に含まれてもよい。
【００７６】
具体的に、第１チャネルの伝送のために、第１装置は第１リソースセットからリソースを第１リソースとして選択してもよく、又は、第１チャネルの伝送のために、第１装置はリソースセットに基づいて別のリソースセットを取得して、該別のリソースセットからリソースを第１リソースとして選択してもよい。
【００７７】
２３０、該第１リソースセットに基づき、該第１装置が該第２装置との間の第２チャネルを伝送するための第２リソースを決定する。
【００７８】
具体的に、第２チャネルの伝送のために、第１装置は第１リソースセットからリソースを第２リソースとして選択してもよく、又は、第２チャネルの伝送のために、第１装置はリソースセットに基づいて別のリソースセットを取得して、該別のリソースセットからリソースを第２リソースとして選択してもよい。
【００７９】
第１装置が第１リソースセットから第１チャネルを伝送するための第１リソースを選択するとき、第１装置は第１リソースセットに基づいて第２リソースセットを決定して、該第２リソースセットから第２チャネルを伝送するための第２リソースを決定することができ、この時、第１リソースセットは第２装置が第１装置に第１チャネルに対して構成したリソースセットと称されてもよい。
【００８０】
又は、第１装置は第１リソースセットに基づいて第３リソースセットを決定して、該第３リソースセットから第１チャネルを伝送するための第１リソースを決定し、及び、第１装置は第１リソースセットに基づいて第２リソースセットを決定して、該第２リソースセットから第２チャネルを伝送するための第２リソースを決定する。
【００８１】
好ましくは、本願の実施例に言及したリソースセットは時間領域リソース、周波数領域リソース、空間領域リソース及びコード領域リソースのうちの少なくとも１つを含んでもよい。
【００８２】
好ましくは、本願の実施例に言及したリソースセットは特定のリソース粒度を有する複数のリソースを含んでもよく、各リソースはリソースインデックスを有してもよい。
【００８３】
第１装置の選択した第１リソースは少なくとも１つのリソースを含んでもよく、第２装置の選択した第２リソースは少なくとも１つのリソースを含んでもよい。
【００８４】
好ましくは、第１装置が端末装置であってもよく、第２装置がネットワーク装置であってもよい。当然ながら、本願の実施例はこれに限らず、例えば、第１装置及び第２装置がいずれも端末装置であってもよい。
【００８５】
好ましくは、第１チャネルと第２チャネルとが同じタイプのチャネルであってもよい。
【００８６】
該タイプはアップリンク・ダウンリンクで区分してもよく、例えば、第１チャネルと第２チャネルとがアップリンクチャネルであり、又は第１チャネルと第２チャネルとがダウンリンクチャネルである。
【００８７】
又は、該タイプはアップリンク・ダウンリンクで区分するだけでなく、同時にチャネル伝送の情報のタイプと組み合わせて区分し、例えば、第１チャネルと第２チャネルとがＰＵＳＣＨであり、又は第１チャネルと第２チャネルとがＰＵＣＣＨであり、又は、第１チャネルと第２チャネルとがＰＤＳＣＨである。
【００８８】
又は、該タイプはチャネル伝送の情報のタイプで区分し、例えば、第１チャネルと第２チャネルとがデータチャネルであり、又は第１チャネルと第２チャネルとが制御チャネルである。
【００８９】
好ましくは、本願の実施例において、該第１チャネル及び該第２チャネルは、
所在する帯域幅部分、所在するキャリア、所在するセル、用いる二重方向、用いる基本パラメータセットのうちの少なくとも１つにおいて異なる。
【００９０】
好ましくは、該第１チャネル及び該第２チャネルの用いる基本パラメータセットが異なることは、サブキャリア間隔及び／又はサイクリックプレフィックスが異なることを含む。
【００９１】
理解都合上、以下に第１装置がどのように第１リソースセットに基づいて第２チャネルを伝送するための第２リソースを決定するかを説明する。
【００９２】
一実現方式では、第１装置は第１リソースセットから第２チャネルを伝送するための第２リソースを決定することができる。
【００９３】
具体的に、第１リソースセットは複数のリソースを有してもよく、各リソースはそれぞれのインデックスをそれぞれ有してもよく、第２チャネルの伝送のために、第１装置はリソースセットからある又はいくつかのリソースを選択してもよい。
【００９４】
第２装置は選択すべきリソースのインデックスを第１装置に通知し、例えば、第２装置はＰＤＣＣＨに含まれる情報によってＰＵＣＣＨの伝送に必要なリソースのインデックスを端末装置に通知してもよく、又は、第２装置は選択すべきリソースのインデックスを端末装置に通知せずに、第１装置が第２チャネルを送信し又は第２チャネルを受信することを示す１つのトリガー命令を送信してもよく、第１装置は該トリガー命令を受信した後、リソースセットからリソースを選択してもよく（例えば、ランダムに選択してもよい）、又は、第２装置は第１装置へダウンリンクデータチャネルを送信してもよく、該データチャネルに対するフィードバックを送信するために、第２装置はリソースを選択してもよい。
【００９５】
好ましくは、第１装置が第１リソースセットからリソースを自主的に選択するとき、具体的に選択したリソース量は現在の伝送対象のデータ量によって決定されてもよい。
【００９６】
一実現方式では、該第１装置が該第１リソースセットに基づいて第２リソースセットを決定し、該第１装置が該第２リソースセットから該第２装置との間の第２チャネルを伝送するための第２リソースを決定する。
【００９７】
具体的に、第１装置は第１リソースセットに基づいて第２リソースセットを取得し、第２リソースセットは複数のリソースを有してもよく、各リソースはそれぞれのインデックスをそれぞれ有し、第２チャネルの伝送のために、第１装置は第２リソースセットから１つ又は複数のリソースを選択してもよい。
【００９８】
第２装置は第１装置へ第２情報を送信してもよく、第１装置は該第２情報に基づき、該第２リソースセットから１つ又は複数のリソースを選択してもよい。
【００９９】
該第２情報は第１装置の選択すべきリソースのインデックスを示してもよく、例えば、第２装置はＰＤＣＣＨに含まれる情報によってＰＵＣＣＨの伝送に必要なリソースの情報を第１装置に通知する。又は、該第２情報は端末が第２リソースセットからリソースを選択するようにトリガーするトリガー命令に過ぎず、又は、該第２情報はダウンリンクデータチャネルに含まれてもよく、該第２情報に対するフィードバック情報を送信するために、第１装置はリソースを選択してもよい。又は、第２情報には第１装置が第２リソースセットから選択すべきリソースのインデックスが含まれずに、第１リソースセットにおけるリソースインデックスが含まれ、第１装置は第１リソースセットを利用して第２リソースセットを決定する方式で第２情報に含まれる該インデックスの第２リソースセットにおける対応するリソースインデックスを導くことができる。
【０１００】
好ましくは、第１装置が第１リソースセットからリソースを自主的に選択するとき、具体的に選択したリソース量は現在の伝送対象のデータ量によって決定されてもよい。
【０１０１】
好ましくは、該第２リソースセットのリソース粒度は第１リソースセットのリソース粒度に等しくてもよく、この時、第１リソースセット及び第２リソースセットは重複したリソースがある場合、これらのリソースのインデックスを保持してもよく、又は第２リソースセットにおけるすべてのリソースのインデックスを改めて配列してもよい。
【０１０２】
又は、該第２リソースセットのリソース粒度は第１リソースセットの粒度に等しくなくてもよく、例えば、第２リソースセットの１つの粒度のリソースは第１リソースセットの２つの粒度のリソースに等しい。第１装置は第２リソースセットのリソースに新しいリソースを改めて設定することができ、これにより、各リソースがいずれも第２リソースセットにおける他のリソースから区分する唯一のリソースインデックスを有する。
【０１０３】
以下、いくつかの第２リソースセットの形成方式を説明する。
【０１０４】
一実現方式では、第１装置は該第１リソースセットの１つのサブセットを該第２リソースセットとして形成してもよい。
【０１０５】
具体的に、第１装置は第１リソースセットから一部のリソースを選択して、該第２リソースセットを形成してもよい。
【０１０６】
該第２リソースセットのリソース粒度は第１リソースセットのリソース粒度に等しくてもよく、この時、第１装置は選択すべきリソースのインデックスを決定して、これらのインデックスを有するリソースを第２リソースセットに構成することができる。第２リソースセットのインデックスは第１リソースセットのインデックスに保存されてもよく、例えば、第１リソースセットから選択したリソースのインデックスが１、３、５である場合、第２リソースセットのリソースインデックスが１、３、５であってもよい。又は、第２リソースセットにおけるリソースにリソースインデックスを改めて設定してもよく、例えば、第２リソースセットのリソースインデックスが１、２、３であってもよい。
【０１０７】
又は、該第２リソースセットのリソース粒度は第１リソースセットの粒度に等しくなくてもよく、例えば、第２リソースセットの１つの粒度のリソースは第１リソースセットの２つの粒度のリソースに等しく、この時、第１装置は第１リソースセットから選択すべきリソースのインデックスを決定してもよく、且つ、第２リソースセットに必要なリソース粒度を満たすために、これらのリソースを２つごとに統合してもよい。第１装置は第２リソースセットのリソースに新しいリソースを改めて設定してもよく、これにより、各リソースがいずれも他のリソースから区分する唯一のリソースインデックスを有する。
【０１０８】
好ましくは、第２装置は第２リソースセットのサブセットを形成することを示すための第３情報を第１装置に送信することができる。これにより、第１装置は第３情報に基づいて第１リソースセットのサブセットを決定して、該サブセットを第２リソースセットとして形成することができる。更に、第２装置は更に第１装置が第２リソースセットを形成した後にどのように第２リソースセットにおけるリソースにインデックスを設定するかを指示してもよい。
【０１０９】
又は、どのように第１リソースセットから第２リソースセットを形成するためのサブセットを選択するかについてのルールも第１装置に予め設定されてもよい。更に、第２リソースセットのリソースのインデックスの設定方式も第１装置に予め設定されてもよい。
【０１１０】
別の実現方式では、該第１リソースセットにリソースを追加して、該第２リソースセットとして形成する。
【０１１１】
具体的に、第１装置は該リソースセットに新しいリソースを追加して、第２リソースセットを形成することができる。
【０１１２】
該第２リソースセットのリソース粒度は第１リソースセットのリソース粒度に等しくてもよく、この時、第１装置は第１リソースセットにおけるリソースと同じ粒度のリソースを第１リソースセットに追加してもよい。第１装置は第２リソースセットにおいて元の第１リソースセットのリソースのインデックスが変化しないように維持して、新しいリソースに新しいインデックスを追加してもよく、又は第２リソースセットにおけるリソースに新しいインデックスを改めて設定してもよい。
【０１１３】
又は、該第２リソースセットのリソース粒度は第１リソースセットの粒度に等しくなくてもよく、この場合、第２装置は第２リソースセットにおいて各リソースに新しいインデックスを改めて設定してもよい。
【０１１４】
好ましくは、第２装置は追加すべきリソースを示すための第４情報を第１装置に送信することができる。これにより、第２リソースセットを形成するために、第１装置は第４情報に基づいて追加すべきリソースを決定して、第１リソースセットに新しいリソースを追加することができる。更に、第２装置は更に第１装置が第２リソースセットを形成した後にどのように第２リソースセットにおけるリソースにインデックスを設定するかを指示してもよい。
【０１１５】
又は、どのように第１リソースセットにリソースを追加して第２リソースセットを形成するかについてのルールも第１装置に予め設定されてもよい。更に、第２リソースセットのリソースのインデックスの設定方式も第１装置に予め設定されてもよい。
【０１１６】
別の実現方式では、該第１リソースセットにおけるリソース量及び／又はリソース粒度を時間領域及び／又は周波数領域において拡張又は収縮して、該第２リソースセットを形成する。
【０１１７】
具体的に、第１装置は第１リソースセットにおけるリソース量を周波数領域又は時間領域において拡張又は収縮して第２リソースセットを形成してもよく、例えば、第１リソースセットにおける時間領域リソース量が変化しないように維持し、元の周波数領域リソース量にリソース量を追加し又はそれからリソース量を減少し、又は、第１リソースセットにおける周波数領域リソース量が変化しないように維持し、元の時間領域リソース量にリソース量を追加し又はそれからリソース量を減少する。
【０１１８】
リソース量を拡張した第２リソースセットは元の第１リソースセットにおけるリソースを含んでもよく、元の第１リソースセットにおけるリソースの一部を含んでもよく、又は、第１リソースセットにおけるリソースを含まず、又は、リソース量を収縮した第２リソースセットは第１リソースセットのサブセットであってもよく、第１リソースセットと共通部分があってもよく、ひいては共通部分がなくてもよい。
【０１１９】
具体的に、第１装置は第１リソースセットにおけるリソース粒度を周波数領域又は時間領域において拡張又は収縮して第２リソースセットを形成してもよい。
【０１２０】
具体的に、第１リソースセットにおけるリソース粒度の時間領域の大きさが変化しないように維持し、周波数領域リソースを拡張又は収縮してもよく、例えば、第１リソースセットにおけるリソース粒度時間領域がＭ個のシンボルを占有し、周波数領域がＮ個のサブキャリアを占有した場合、第２リソースセットにおけるリソース粒度時間領域がＭ個のシンボルを占有し、周波数領域がＮ＋ｂ又はａＮ個のサブキャリアを占有する。又は、第１リソースセットにおけるリソース粒度の周波数領域の大きさが変化しないように維持し、時間領域の大きさを拡張又は収縮する。例えば、第１リソースセットにおけるリソース粒度時間領域がＭ個のシンボルを占有し、周波数領域がＮ個のサブキャリアを占有した場合、第２リソースセットにおけるリソース粒度時間領域がＭ＋ｃ又はｄＭ個のシンボルを占有し、周波数領域がＮ個のサブキャリアを占有する。
【０１２１】
当然ながら、時間領域及び周波数領域を同時に拡張又は同時に収縮し、又は、時間領域を拡張するが、周波数領域を収縮し、又は、周波数領域を拡張し、又は、時間領域を収縮してもよい。
【０１２２】
リソース粒度の拡張又は収縮は更に該リソース粒度のリソースを構成するサブキャリアの幅又はシンボルの長さの拡張又は収縮であってもよく、例えば、各リソースに含まれるシンボル数又はサブキャリア数を変化せずに、シンボルの長さ又はサブキャリアの幅を変化させると理解すべきである。
【０１２３】
好ましくは、第１リソースセット及び第２リソースセットのリソース位置及び／又はリソース量が同じであり、第１リソースセット及び第２リソースセットの相違がリソース粒度であり、又は第１リソースセット及び第２リソースセットの相違が粒度であるだけでなく、リソース位置及び／又はリソース量も異なってもよい。
【０１２４】
好ましくは、第２装置は第１リソースセットのリソース量及び／又はリソース粒度に対する拡張又は収縮の幅を示すための第５情報を第１装置に送信することができる。更に、第２装置は更に第１装置が第２リソースセットを形成した後にどのように第２リソースセットにおけるリソースにインデックスを設定するかを指示してもよい。
【０１２５】
又は、どのように第１リソースセットから第２リソースセットを形成するためのサブセットを選択するかについてのルールも第１装置に予め設定されてもよい。更に、第２リソースセットのリソースのインデックスの設定方式も第１装置に予め設定されてもよい。
【０１２６】
好ましくは、第１装置は前記第１チャネルの所在するキャリア又は帯域幅部分と第２チャネルの所在するキャリア又は帯域幅部分との周波数領域の大小関係に基づき、リソース量及び／又はリソース粒度の拡張又は収縮の幅を決定することができる。
【０１２７】
本願の実施例に言及した幅は絶対量であってもよく、比率であってもよいと理解すべきである。
【０１２８】
別の実現方式では、該第１リソースセットを時間領域及び／又は周波数領域においてオフセットして、該第２リソースセットを形成する。
【０１２９】
該実現方式では、第１リソースセットのリソース量は第２リソースセットのリソース量に等しくてもよく、例えば、第１リソースセットのリソースの時間領域の開始位置がスロット１であり、終了位置がスロット１０であり、２つのスロットをオフセットにする必要がある場合、第２リソースセットの時間領域リソース位置がスロット３であり、終了位置が１２である。
【０１３０】
又は、第１リソースセットのリソース量は第２リソースセットのリソース量に等しくなくてもよく、例えば、第１リソースセットのリソースの時間領域の開始位置がスロット１であり、終了位置がスロット１０であり、２つのスロットをオフセットにする必要がある場合、第２リソースセットの時間領域リソースの開始位置がスロット３であり、終了位置がスロット１０である。
【０１３１】
好ましくは、該第１装置が該オフセットの大きさを示すための該第２装置からの第６情報を受信する。更に、第２装置は更に第１装置が第２リソースセットを形成した後にどのように第２リソースセットにおけるリソースにインデックスを設定するかを指示してもよい。
【０１３２】
又は、どのように第１リソースセットに基づいてオフセットして第２リソースセットを形成するかについてのルールも第１装置に予め設定されてもよい。更に、第２リソースセットのリソースのインデックスの設定方式も第１装置に予め設定されてもよい。
【０１３３】
以上はそれぞれ第１リソースセットに基づいて第２リソースセットを形成するいくつかの方式を独立して説明したが、このいくつかの方式は独立して存在するものではなく、これらの方式はいくつかの場合に組み合わせて使用できることになり、例えば、第１リソースセットのリソース粒度を拡張又は収縮し、第１リソースセットをオフセットして第２リソースセットを形成してもよいと理解すべきである。
【０１３４】
以上は既にどのように第１リソースセットに基づいて第２チャネルを伝送するための第２リソースを決定するかを説明したが、以下にどのように第１リソースセットに基づいて第１チャネルを伝送するためのリソースを決定するかを説明する。
【０１３５】
一実現方式では、該第１装置が該第１リソースセットから該第１チャネルを伝送するための該第１リソースを決定する。
【０１３６】
好ましくは、該第１装置が該第２装置から送信された第７情報を受信し、該第７情報に基づき、該第１装置が該第１リソースセットから該第１リソースを決定する。
【０１３７】
一実現方式では、該第１装置が該第１リソースセットに基づいて第３リソースセットを決定し、該第１装置が該第３リソースセットから該第２装置との間の第１チャネルを伝送するための第１リソースを決定する。
【０１３８】
好ましくは、該第１装置が該第２装置から送信された第８情報を受信し、該第８情報に基づき、該第３リソースセットから該第１リソースを決定する。
【０１３９】
好ましくは、該第１装置が該第１リソースセットに基づいて第３リソースセットを決定することは、
該第１リソースセットの１つのサブセットを該第３リソースセットとして形成し、又は、
該第１リソースセットにリソースを追加して、該第３リソースセットとして形成し、又は、
該第１リソースセットにおけるリソース量又はリソース粒度を時間領域及び／又は周波数領域において拡張又は収縮して、該第３リソースセットを形成し、又は、
該第１リソースセットを時間領域又は周波数領域においてオフセットして、該第３リソースセットを形成するという方式で、該第１リソースセットに基づき、該第３リソースセットを決定することを含む。
【０１４０】
好ましくは、該第１リソースセットに基づいて第３リソースセットを決定する方式は、該第１リソースセットの１つのサブセットを該第３リソースセットとして決定し、該第１装置が該サブセットを示すための該第２装置からの第９情報を受信することである。
【０１４１】
好ましくは、該第１リソースセットに基づいて該第３リソースセットを決定する方式は、該第１リソースセットにリソースを追加して、該第３リソースセットとして形成し、該第１装置が追加するリソースを示すための該第２装置からの第１０情報を受信することである。
【０１４２】
好ましくは、該第１リソースセットに基づいて該第３リソースセットを決定する方式は、該第１リソースセットにおけるリソース量又はリソース粒度を時間領域及び／又は周波数領域において拡張又は収縮して、該第３リソースセットを形成し、該第１装置が該拡張又は収縮の幅を示すための該第２装置からの第１１情報を受信することである。
【０１４３】
好ましくは、該第１リソースセットに基づいて該第３リソースセットを決定する方式は、該第１リソースセットにおけるリソース量又はリソース粒度を時間領域及び／又は周波数領域において拡張又は収縮して、該第３リソースセットを形成し、該第１チャネルの所在するキャリア又は帯域幅部分と第２チャネルの所在するキャリア又は帯域幅部分との周波数領域の大小関係に基づき、該拡張又は収縮の幅を決定することである。
【０１４４】
好ましくは、該第１リソースセットに基づいて該第３リソースセットを決定する方式は、該第１リソースセットを時間領域又は周波数領域においてオフセットして、該第３リソースセットを形成し、該第１装置が該オフセットの大きさを示すための該第２装置からの第１２情報を受信することである。
【０１４５】
好ましくは、該第１リソースセットに基づいて該第３リソースセットを決定する方式は該第１装置に予め設定される。
【０１４６】
第１リソースセットに基づいて第１チャネルを伝送するためのリソースを決定することについてのいくつかの詳細な説明の実現は以上に第１リソースセットに基づいて第２チャネルを伝送するためのリソースを決定することについての実現を参照してもよく、簡潔のため、ここで詳細な説明は省略すると理解すべきである。
【０１４７】
従って、本願の実施例において、第２装置が第１装置に第１リソースセットを構成し、第１装置は第１リソースセットに基づいて第１チャネルの伝送を行うことができるだけでなく、第２リソースセットに基づいて第２チャネルの伝送を行うこともでき、これにより、第１装置が第２装置にそれぞれ第１チャネルのリソースセット及び第２チャネルのリソースセットを構成するため、シグナリングオーバーヘッドが大きいという問題を回避し、リソース構成及び使用の柔軟性を実現することができ、且つ第１チャネル伝送と第２チャネル伝送との関連性を実現することができる。
【０１４８】
図３は本願の実施例に係る無線通信方法３００の模式的なフローチャートである。該方法３００は以下の少なくとも一部を含む。
【０１４９】
３１０、第２装置が該第１装置に第１リソースセットを構成するための第１情報を第１装置に送信する。
【０１５０】
３２０、該第１リソースセットに基づき、該第２装置が該第１装置との間の第１チャネルを伝送するための第１リソースを決定する。
【０１５１】
３３０、該第１リソースセットに基づき、該第２装置が該第１装置との間の第２チャネルを伝送するための第２リソースを決定する。
【０１５２】
好ましくは、該第１チャネル及び該第２チャネルは、
所在する帯域幅部分、所在するキャリア、所在するセル、用いる二重方向、用いる基本パラメータセットのうちの少なくとも１つにおいて異なる。
【０１５３】
好ましくは、該第１チャネル及び該第２チャネルの用いる基本パラメータセットが異なることは、サブキャリア間隔及び／又はサイクリックプレフィックスが異なることを含む。
【０１５４】
好ましくは、該第１チャネル及び該第２チャネルが同じタイプのチャネルである。
【０１５５】
好ましくは、該第２装置が該第１リソースセットに基づいて第２リソースセットを決定し、該第２装置が該第２リソースセットから該第１装置との間の第２チャネルを伝送するための第２リソースを決定する。
【０１５６】
好ましくは、該第１装置が該第１リソースセットから該第１リソースを決定するために、該第２装置が該第１装置へ第２情報を送信する。
【０１５７】
好ましくは、該第１リソースセットの１つのサブセットを該第２リソースセットとして形成し、又は、
該第１リソースセットにリソースを追加して、該第２リソースセットとして形成し、又は、
該第１リソースセットにおけるリソース量又はリソース粒度を時間領域及び／又は周波数領域において拡張又は収縮して、該第２リソースセットを形成し、又は、
該第１リソースセットを時間領域又は周波数領域においてオフセットして、該第２リソースセットを形成するという方式で、該第１リソースセットに基づき、該第２リソースセットを決定する。
【０１５８】
好ましくは、該第１リソースセットに基づいて第２リソースセットを決定する方式は、該第１リソースセットの１つのサブセットを該第２リソースセットとして決定することであり、
該方法は、更に、
該第２装置が該サブセットを示すための第３情報を該第１装置に送信することを含む。
【０１５９】
好ましくは、該第１リソースセットに基づいて該第２リソースセットを決定する方式は、該第１リソースセットにリソースを追加して、該第２リソースセットとして形成することであり、
該方法は、更に、該第２装置が追加するリソースを示すための第４情報を該第１装置に送信することを含む。
【０１６０】
好ましくは、該第１リソースセットに基づいて該第２リソースセットを決定する方式は、該第１リソースセットにおけるリソース量又はリソース粒度を時間領域及び／又は周波数領域において拡張又は収縮して、該第２リソースセットを形成することであり、
該方法は、更に、
該第２装置が該拡張又は収縮の幅を示すための第５情報を該第１装置に送信することを含む。
【０１６１】
好ましくは、該第１リソースセットに基づいて該第２リソースセットを決定する方式は、該第１リソースセットにおけるリソース量又はリソース粒度を時間領域及び／又は周波数領域において拡張又は収縮して、該第２リソースセットを形成することであり、
該方法は、更に、
該第１チャネルの所在するキャリア又は帯域幅部分と第２チャネルの所在するキャリア又は帯域幅部分との周波数領域の大小関係に基づき、該拡張又は収縮の幅を決定することを含む。
【０１６２】
好ましくは、該第１リソースセットに基づいて該第２リソースセットを決定する方式は、該第１リソースセットを時間領域又は周波数領域においてオフセットして、該第２リソースセットを形成することであり、
該方法は、更に、
該第２装置が該オフセットの大きさを示すための第６情報を該第１装置に送信することを含む。
【０１６３】
好ましくは、該第１リソースセットに基づき、該第２装置が該第１装置との間の第１チャネルを伝送するための第１リソースを決定することは、
該第２装置が該第１リソースセットから該第１チャネルを伝送するための該第１リソースを決定することを含む。
【０１６４】
好ましくは、該第１装置が該第１リソースセットから該第１リソースを決定するために、該第２装置が該第１装置へ第７情報を送信する。
【０１６５】
好ましくは、該第２装置が該第１リソースセットに基づいて第３リソースセットを決定し、
該第２装置が該第３リソースセットから該第１装置との間の第１チャネルを伝送するための第１リソースを決定する。
【０１６６】
好ましくは、該第１装置が該第３リソースセットから該第１リソースを決定するために、該第２装置が該第１装置へ第８情報を送信する。
【０１６７】
好ましくは、該第１リソースセットの１つのサブセットを該第３リソースセットとして形成し、又は、
該第１リソースセットにリソースを追加して、該第３リソースセットとして形成し、又は、
該第１リソースセットにおけるリソース量又はリソース粒度を時間領域及び／又は周波数領域において拡張又は収縮して、該第３リソースセットを形成し、又は、
該第１リソースセットを時間領域又は周波数領域においてオフセットして、該第３リソースセットを形成するという方式で、該第１リソースセットに基づき、該第３リソースセットを決定する。
【０１６８】
好ましくは、該第１リソースセットに基づいて第３リソースセットを決定する方式は、該第１リソースセットの１つのサブセットを該第３リソースセットとして決定し、該第２装置が該サブセットを示すための第９情報を該第１装置に送信することである。
【０１６９】
好ましくは、該第１リソースセットに基づいて該第３リソースセットを決定する方式は、該第１リソースセットにリソースを追加して、該第３リソースセットとして形成し、該第２装置が追加するリソースを示すための第１０情報を該第１装置に送信することである。
【０１７０】
好ましくは、該第１リソースセットに基づいて該第３リソースセットを決定する方式は、該第１リソースセットにおけるリソース量又はリソース粒度を時間領域及び／又は周波数領域において拡張又は収縮して、該第３リソースセットを形成し、該第２装置が該拡張又は収縮の幅を示すための第１１情報を該第１装置に送信することである。
【０１７１】
好ましくは、該第１リソースセットに基づいて該第３リソースセットを決定する方式は、該第１リソースセットにおけるリソース量又はリソース粒度を時間領域及び／又は周波数領域において拡張又は収縮して、該第３リソースセットを形成し、該第１チャネルの所在するキャリア又は帯域幅部分と第２チャネルの所在するキャリア又は帯域幅部分との周波数領域の大小関係に基づき、該拡張又は収縮の幅を決定することである。
【０１７２】
好ましくは、該第１リソースセットに基づいて該第３リソースセットを決定する方式は、該第１リソースセットを時間領域又は周波数領域においてオフセットして、該第３リソースセットを形成し、該第２装置が該オフセットの大きさを示すための第１２情報を該第１装置に送信することである。
【０１７３】
第２装置がリソースセットを決定し及びリソースセットからリソースを選択する方式は、方法２００における第１装置がどのようにリソースセットを決定するか及びリソースセットからリソースを選択する方式を参照してもよく、簡潔のため、ここで詳細な説明は省略すると理解すべきである。
【０１７４】
従って、本願の実施例において、第２装置が第１装置に第１リソースセットを構成し、第１装置は第１リソースセットに基づいて第１チャネルの伝送を行うことができるだけでなく、第２リソースセットに基づいて第２チャネルの伝送を行うこともでき、これにより、第１装置が第２装置にそれぞれ第１チャネルのリソースセット及び第２チャネルのリソースセットを構成するため、シグナリングオーバーヘッドが大きいという問題を回避し、リソース構成及び使用の柔軟性を実現することができ、且つ第１チャネル伝送と第２チャネル伝送との関連性を実現することができる。
【０１７５】
図４は本願の実施例に係る無線通信装置４００の模式的なブロック図である。図４に示すように、該装置４００は通信ユニット４１０及び処理ユニット４２０を備え、
前記通信ユニット４１０は第２装置から送信された、前記第１装置に第１リソースセットを構成するための第１情報を受信するように構成され、
前記処理ユニット４２０は前記第１リソースセットに基づき、前記第２装置との間の第１チャネルを伝送するための第１リソースを決定し、前記第１リソースセットに基づき、前記第２装置との間の第２チャネルを伝送するための第２リソースを決定するように構成される。
【０１７６】
該無線通信４００は方法実施例における第１装置に対応してもよく、方法実施例における第１装置の実現する対応操作を実現することができ、簡潔のため、ここで詳細な説明は省略すると理解すべきである。
【０１７７】
図５は本願の実施例に係る無線通信装置５００の模式的なブロック図である。図５に示すように、該ネットワーク装置５００は通信ユニット５１０及び処理ユニット５２０を備え、
前記通信ユニット５１０は前記第１装置に第１リソースセットを構成するための第１情報を第１装置に送信するように構成され、
前記処理ユニット５２０は前記第１リソースセットに基づき、前記第１装置との間の第１チャネルを伝送するための第１リソースを決定し、前記第１リソースセットに基づき、前記第１装置との間の第２チャネルを伝送するための第２リソースを決定するように構成される。
【０１７８】
該装置５００は方法実施例における第２装置に対応してもよく、方法実施例における第２装置の実現する対応操作を実現することができ、簡潔のため、ここで詳細な説明は省略すると理解すべきである。
【０１７９】
図６は本願の実施例のシステムチップ６００の構造模式図である。図６におけるシステムチップ６００は入力インターフェース６０１、出力インターフェース６０２、プロセッサ６０３及びメモリ６０４を備え、それらが内部通信接続経路によって接続されてもよく、前記プロセッサ６０３は前記メモリ６０４におけるコードを実行するように構成される。
【０１８０】
好ましくは、前記コードが実行されるとき、前記プロセッサ６０３は方法実施例における第１装置の実行する方法を実現する。簡潔のため、ここで詳細な説明は省略する。
【０１８１】
好ましくは、前記コードが実行されるとき、前記プロセッサ６０３は方法実施例における第２装置の実行する方法を実現する。簡潔のため、ここで詳細な説明は省略する。
【０１８２】
図７は本願の実施例に係る通信装置７００の模式的なブロック図である。図７に示すように、該通信装置７００はプロセッサ７１０及びメモリ７２０を備える。該メモリ７２０にプログラムコードが記憶されてもよく、該プロセッサ７１０は該メモリ７２０に記憶されるプログラムコードを実行することができる。
【０１８３】
好ましくは、図７に示すように、該通信装置７００は送受信機７３０を備えてもよく、プロセッサ７１０は送受信機７３０が外部と通信するように制御することができる。
【０１８４】
好ましくは、該プロセッサ７１０はメモリ７２０に記憶されるプログラムコードを呼び出して、方法実施例における第１装置の対応操作を実行することができ、簡潔のため、ここで詳細な説明は省略する。
【０１８５】
好ましくは、該プロセッサ７１０はメモリ７２０に記憶されるプログラムコードを呼び出して、方法実施例における第２装置の対応操作を実行することができ、簡潔のため、ここで詳細な説明は省略する。
【０１８６】
本願の実施例のプロセッサは信号処理能力を有する集積回路チップでありうると理解すべきである。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１８７】
本願の実施例において、メモリは揮発性メモリであっても、又は不揮発性メモリであってもよく、又は、揮発性メモリ及び不揮発性メモリの両方を含んでもよいと理解される。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。ただし、本明細書に説明されるシステム及び方法のメモリはこれらのメモリ及び任意の他の適切なタイプのメモリを含んでもよいが、それらに限らないように意図されるものである。
【０１８８】
当業者であれば、本明細書に開示される実施例を参照して説明した各例示的なユニット及びアルゴリズムステップは、電子ハードウェア、又はコンピュータソフトウェア及び電子ハードウェアの組み合わせで実現できると理解される。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１８９】
当業者であれば、説明を容易且つ簡単にするために、上記説明されるシステム、装置及びユニットの具体的な動作過程は、前述の方法実施例における対応過程を参照してもよく、ここで詳細な説明を省略することを明確に理解することができる。
【０１９０】
本願に係るいくつかの実施例において、開示されるシステム、装置及び方法は他の方式で実現されてもよいと理解すべきである。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１９１】
分離部材として説明される前記ユニットは物理的に分離してもよく、物理的に分離しなくてもよく、ユニットとして表示される部材は物理ユニットであってもよく、物理ユニットでなくてもよく、すなわち、一箇所に位置してもよく、複数のネットワークユニットに配置されてもよい。実際の必要に応じて、その一部又は全部のユニットを選択して本実施例案の目的を実現してもよい。
【０１９２】
また、本願の各実施例において、各機能ユニットは１つの処理ユニットに統合されてもよく、各ユニットは独立して物理的に存在してもよく、２つ又は２つ以上のユニットは１つのユニットに統合されてもよい。
【０１９３】
前記機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１９４】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2021502009.tif 000003
【図２】
2021502009.tif 000004
【図３】
2021502009.tif 000005
【図４】
2021502009.tif 000006
【図５】
2021502009.tif 000007
【図６】
2021502009.tif 000008
【図７】
2021502009.tif 000009
【手続補正書】
【提出日】令和2年9月2日(2020.9.2)
【手続補正１】
【補正対象書類名】明細書
【補正対象項目名】０００７
【補正方法】変更
【補正の内容】
【０００７】
従って、本願の実施例において、第２装置が第１装置に第１リソースセットを構成し、第１装置は第１リソースセットに基づいて第１チャネルの伝送を行うことができるだけでなく、第２リソースセットに基づいて第２チャネルの伝送を行うこともでき、これにより、第２装置が第１装置にそれぞれ第１チャネルのリソースセット及び第２チャネルのリソースセットを構成するため、シグナリングオーバーヘッドが大きいという問題を回避し、リソース構成及び使用の柔軟性を実現することができ、且つ第１チャネル伝送と第２チャネル伝送との関連性を実現することができる。
【手続補正２】
【補正対象書類名】明細書
【補正対象項目名】００３３
【補正方法】変更
【補正の内容】
【００３３】
従って、本願の実施例において、第２装置が第１装置に第１リソースセットを構成し、第１装置は第１リソースセットに基づいて第１チャネルの伝送を行うことができるだけでなく、第２リソースセットに基づいて第２チャネルの伝送を行うこともでき、これにより、第２装置が第１装置にそれぞれ第１チャネルのリソースセット及び第２チャネルのリソースセットを構成するため、シグナリングオーバーヘッドが大きいという問題を回避し、リソース構成及び使用の柔軟性を実現することができ、且つ第１チャネル伝送と第２チャネル伝送との関連性を実現することができる。
【手続補正３】
【補正対象書類名】明細書
【補正対象項目名】００６５
【補正方法】変更
【補正の内容】
【００６５】
図１には本願の実施例に適用される無線通信システム１００を示す。該無線通信システム１００はネットワーク装置１１０を備えてもよい。ネットワーク装置１１０は端末装置と通信する装置であってもよい。ネットワーク装置１１０は特定の地理的領域に通信カバレッジを提供することができ、且つ該カバレッジ領域内の端末装置（例えば、ＵＥ）と通信することができる。好ましくは、該ネットワーク装置１１０はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【手続補正４】
【補正対象書類名】明細書
【補正対象項目名】００８３
【補正方法】変更
【補正の内容】
【００８３】
第１装置の選択した第１リソースは少なくとも１つのリソースを含んでもよく、第１装置の選択した第２リソースは少なくとも１つのリソースを含んでもよい。
【手続補正５】
【補正対象書類名】明細書
【補正対象項目名】００９４
【補正方法】変更
【補正の内容】
【００９４】
第２装置は選択すべきリソースのインデックスを第１装置に通知し、例えば、第２装置はＰＤＣＣＨに含まれる情報によってＰＵＣＣＨの伝送に必要なリソースのインデックスを端末装置に通知してもよく、又は、第２装置は選択すべきリソースのインデックスを端末装置に通知せずに、第１装置が第２チャネルを送信し又は第２チャネルを受信することを示す１つのトリガー命令を送信してもよく、第１装置は該トリガー命令を受信した後、リソースセットからリソースを選択してもよく（例えば、ランダムに選択してもよい）、又は、第２装置は第１装置へダウンリンクデータチャネルを送信してもよく、該データチャネルに対するフィードバックを送信するために、第１装置はリソースを選択してもよい。
【手続補正６】
【補正対象書類名】明細書
【補正対象項目名】０１０２
【補正方法】変更
【補正の内容】
【０１０２】
又は、該第２リソースセットのリソース粒度は第１リソースセットの粒度に等しくなくてもよく、例えば、第２リソースセットの１つの粒度のリソースは第１リソースセットの２つの粒度のリソースに等しい。第１装置は第２リソースセットのリソースに新しいインデックスを改めて設定することができ、これにより、各リソースがいずれも第２リソースセットにおける他のリソースから区分する唯一のリソースインデックスを有する。
【手続補正７】
【補正対象書類名】明細書
【補正対象項目名】０１０７
【補正方法】変更
【補正の内容】
【０１０７】
又は、該第２リソースセットのリソース粒度は第１リソースセットの粒度に等しくなくてもよく、例えば、第２リソースセットの１つの粒度のリソースは第１リソースセットの２つの粒度のリソースに等しく、この時、第１装置は第１リソースセットから選択すべきリソースのインデックスを決定してもよく、且つ、第２リソースセットに必要なリソース粒度を満たすために、これらのリソースを２つごとに統合してもよい。第１装置は第２リソースセットのリソースに新しいインデックスを改めて設定してもよく、これにより、各リソースがいずれも他のリソースから区分する唯一のリソースインデックスを有する。
【手続補正８】
【補正対象書類名】明細書
【補正対象項目名】０１４７
【補正方法】変更
【補正の内容】
【０１４７】
従って、本願の実施例において、第２装置が第１装置に第１リソースセットを構成し、第１装置は第１リソースセットに基づいて第１チャネルの伝送を行うことができるだけでなく、第２リソースセットに基づいて第２チャネルの伝送を行うこともでき、これにより、第２装置が第１置にそれぞれ第１チャネルのリソースセット及び第２チャネルのリソースセットを構成するため、シグナリングオーバーヘッドが大きいという問題を回避し、リソース構成及び使用の柔軟性を実現することができ、且つ第１チャネル伝送と第２チャネル伝送との関連性を実現することができる。
【手続補正９】
【補正対象書類名】特許請求の範囲
【補正対象項目名】全文
【補正方法】変更
【補正の内容】
【特許請求の範囲】
【請求項１】
無線通信方法であって、
第１装置が、第２装置から送信された、前記第１装置に第１リソースセットを構成するための第１情報を受信することと、
前記第１リソースセットに基づき、前記第１装置が、前記第２装置との間の第１チャネルを伝送するための第１リソースを決定することと、
前記第１リソースセットに基づき、前記第１装置が、前記第２装置との間の第２チャネルを伝送するための第２リソースを決定することと、を含むことを特徴とする、前記無線通信方法。
【請求項２】
前記第１チャネル及び前記第２チャネルは、
所在する帯域幅部分、所在するキャリア、所在するセル、用いる二重方向、用いる基本パラメータセットのうちの少なくとも１つにおいて異なることを特徴とする
請求項１に記載の方法。
【請求項３】
前記第１チャネル及び前記第２チャネルの用いる基本パラメータセットが異なることは、サブキャリア間隔及び／又はサイクリックプレフィックスが異なることを含むことを特徴とする
請求項２に記載の方法。
【請求項４】
前記第１リソースセットに基づき、前記第１装置が前記第２装置との間の第２チャネルを伝送するための第２リソースを決定することは、
前記第１装置が、前記第１リソースセットに基づいて第２リソースセットを決定することと、
前記第１装置が、前記第２リソースセットから前記第２装置との間の第２チャネルを伝送するための第２リソースを決定することと、を含むことを特徴とする
請求項１〜３のいずれか１項に記載の方法。
【請求項５】
前記第１装置が前記第１リソースセットに基づいて第２リソースセットを決定することは、
前記第１リソースセットの１つのサブセットを前記第２リソースセットとして形成し、又は、
前記第１リソースセットにリソースを追加して、前記第２リソースセットとして形成し、又は、
前記第１リソースセットにおけるリソース量又はリソース粒度を時間領域及び／又は周波数領域において拡張又は収縮して、前記第２リソースセットを形成し、又は、
前記第１リソースセットを時間領域又は周波数領域においてオフセットして、前記第２リソースセットを形成するという方式で、前記第１リソースセットに基づき、前記第２リソースセットを決定することを含むことを特徴とする
請求項４に記載の方法。
【請求項６】
前記第１リソースセットに基づいて第２リソースセットを決定する方式は、前記第１リソースセットの１つのサブセットを前記第２リソースセットとして決定することであり、
前記方法は、更に、
前記第１装置が、前記サブセットを示すための前記第２装置からの第３情報を受信することを含むことを特徴とする
請求項５に記載の方法。
【請求項７】
前記第１リソースセットに基づいて前記第２リソースセットを決定する方式は、前記第１リソースセットにリソースを追加して、前記第２リソースセットとして形成することであり、
前記方法は、更に、前記第１装置が、追加するリソースを示すための前記第２装置からの第４情報を受信することを含むことを特徴とする
請求項５に記載の方法。
【請求項８】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１装置が、前記拡張又は収縮の幅を示すための前記第２装置からの第５情報を受信することを含むことを特徴とする
請求項５に記載の方法。
【請求項９】
前記第１リソースセットに基づいて前記第２リソースセットを決定する方式は、前記第１リソースセットにおけるリソース量又はリソース粒度を時間領域及び／又は周波数領域において拡張又は収縮して、前記第２リソースセットを形成することであり、
前記方法は、更に、
前記第１チャネルの所在するキャリア又は帯域幅部分と第２チャネルの所在するキャリア又は帯域幅部分との周波数領域の大小関係に基づき、前記拡張又は収縮の幅を決定することを含むことを特徴とする
請求項５に記載の方法。
【請求項１０】
前記第１リソースセットに基づいて前記第２リソースセットを決定する方式は、前記第１リソースセットを時間領域又は周波数領域においてオフセットして、前記第２リソースセットを形成することであり、
前記方法は、更に、
前記第１装置が、前記オフセットの大きさを示すための前記第２装置からの第６情報を受信することを含むことを特徴とする
請求項５に記載の方法。
【請求項１１】
前記第１リソースセットに基づき、前記第１装置が前記第２装置との間の第１チャネルを伝送するための第１リソースを決定することは、
前記第１装置が、前記第１リソースセットに基づいて第３リソースセットを決定することと、
前記第１装置が、前記第３リソースセットから前記第２装置との間の第１チャネルを伝送するための第１リソースを決定することと、を含むことを特徴とする
請求項１〜１０のいずれか１項に記載の方法。
【請求項１２】
前記第１装置が前記第１リソースセットに基づいて第３リソースセットを決定することは、
前記第１リソースセットの１つのサブセットを前記第３リソースセットとして形成し、又は、
前記第１リソースセットにリソースを追加して、前記第３リソースセットとして形成し、又は、
前記第１リソースセットにおけるリソース量又はリソース粒度を時間領域及び／又は周波数領域において拡張又は収縮して、前記第３リソースセットを形成し、又は、
前記第１リソースセットを時間領域又は周波数領域においてオフセットして、前記第３リソースセットを形成するという方式で、前記第１リソースセットに基づき、前記第３リソースセットを決定することを含むことを特徴とする
請求項１１に記載の方法。
【請求項１３】
前記第１装置が端末装置であり、前記第２装置が基地局装置であることを特徴とする
請求項１〜１２のいずれか１項に記載の方法。
【請求項１４】
無線通信装置であって、
前記装置は第１装置であって、請求項１〜１３のいずれか１項に記載の無線通信方法を実施するように構成されることを特徴とする、前記無線通信装置。
【請求項１５】
無線通信装置であって、前記装置は第１装置であって、プロセッサ、メモリ、及び送受信機を含み、
前記メモリがプログラムコードを記憶するように構成され、
前記プロセッサが、前記送受信機と連携して請求項１〜１３のいずれか１項に記載の無線通信方法を実行するように構成されることを特徴とする、
前記無線通信装置。
【国際調査報告】
2021502009.tif 000010
2021502009.tif 000011
2021502009.tif 000012
2021502009.tif 000013